(57)【要約】【課題】高いリハビリ効果やゲーム性を有すると共に、収納性が容易なリハビリ器具を提供する。【解決手段】リハビリ器具１０ａは、基台１２と、基台１２の表面１２ａ側に埋設されるナット１４ａ〜１４ｃと、ナット１４ａ〜１４ｃに螺合する蝶ボルト１６ａ〜１６ｃとから構成される。そして、蝶ボルト１６ａ〜１６ｃをナット１４ａ〜１４ｃに螺合させる作業を繰り返すことにより、高いリハビリ効果を得ることができる。【選択図】図１
2008000423.tif 000002
【特許請求の範囲】
【請求項１】
基台と、複数の雌ねじと、前記雌ねじに螺合する複数の雄ねじとを備え、
前記雌ねじ又は前記雄ねじのうち、いずれか一方が前記基台に固定されていることを特徴とするリハビリ器具。
【請求項２】
請求項１記載のリハビリ器具において、
前記雌ねじ及び前記雄ねじは、複数種類のねじ径からなることを特徴とするリハビリ器具。
【請求項３】
請求項１又は２記載のリハビリ器具において、
前記雌ねじと前記雄ねじとが螺合される側の前記基台の表面には模様が描かれ、
前記基台に固定されている一方の雌ねじ又は雄ねじが、前記模様と重なるようにして固定されていることを特徴とするリハビリ器具。
【請求項４】
請求項３記載のリハビリ器具において、
前記基台に固定されていない他方の雌ねじ又は雄ねじは蝶ねじからなり、
前記基台の表面には、前記蝶ねじを前記基台に固定されている一方の雌ねじ又は雄ねじに螺合させた際、前記表面を平面視した場合に、前記蝶ねじの把持部が収まるべき範囲を指定する指定範囲が形成されていることを特徴とするリハビリ器具。
【請求項５】
請求項４記載のリハビリ器具において、
前記指定範囲は、前記模様の一部として形成されていることを特徴とするリハビリ器具。
【発明の詳細な説明】
【技術分野】
【０００１】
本発明は、運動機能等に障害を持つ人のリハビリ用として利用できるリハビリ器具に関する。
【背景技術】
【０００２】
従来から、病後等で運動機能等に障害を来した人のリハビリ用として、各種リハビリ器具が用いられている。
【０００３】
特許文献１には、手や神経等のリハビリ効果が得られるリハビリ器具（遊戯具）であって、基台の上面部と下面部の縦位置と横位置に罫線を儲け、罫線の交点の上面部と下面部に貫通穴を設けて、別に設けた支柱を貫通穴に挿脱、停め表示することができる器具が記載されている。
【０００４】
【特許文献１】特開２００５−１６０９８７号公報
【発明の開示】
【発明が解決しようとする課題】
【０００５】
しかしながら、上記従来構成のリハビリ器具では、貫通穴に対して支柱を挿脱するだけであるため、期待できるリハビリ効果は乏しいものとなる。また、前記貫通穴は碁盤の目のように整然と配置されているだけであるため、面白み（ゲーム性）が希薄なものとなっていた。さらに、基台を大きく傾けたり裏返したりした場合には、前記支柱が抜け落ちてしまい、特に、収納時（非使用時）等に支柱を挿したままでは、収納庫内等で立てかけておくことができず、収納場所が大きくなってしまう。
【０００６】
本発明は、係る従来の課題を考慮してなされたものであり、高いリハビリ効果やゲーム性を有するリハビリ器具を提供することを目的とする。また、本発明は、非使用時における部品の脱落等を防止することで、収納が容易なリハビリ器具を提供することを目的とする。
【課題を解決するための手段】
【０００７】
本発明のリハビリ器具は、基台と、複数の雌ねじと、前記雌ねじに螺合する複数の雄ねじとを備え、前記雌ねじ又は前記雄ねじのうち、いずれか一方が前記基台に固定されていることを特徴とする。
【０００８】
上記構成によれば、複数の雌ねじと雄ねじとを螺合させる作業を行うことにより、指先によるひねり動作等が生じるため、高いリハビリ効果を得ることができる。
【０００９】
また、前記雌ねじ及び前記雄ねじが、複数種類のねじ径からなると、雌ねじと雄ねじとの適合条件を考えながらリハビリ作業を行う必要がある。このため、リハビリ作業が指先だけの単純作業となることがなく、頭脳に対するリハビリ効果も期待できる。
【００１０】
さらに、前記雌ねじと前記雄ねじとが螺合される側の前記基台の表面には模様が描かれ、前記基台に固定されている一方の雌ねじ又は雄ねじが、前記模様と重なるようにして固定されていると、美観が向上するため、より楽しみながらリハビリ作業を行うことができるようになる。
【００１１】
しかも、前記基台に固定されていない他方の雌ねじ又は雄ねじが蝶ねじからなり、前記基台の表面には、前記蝶ねじを前記基台に固定されている一方の雌ねじ又は雄ねじに螺合させた際、前記表面を平面視した場合に、前記蝶ねじの把持部が収まるべき範囲を指定する指定範囲が形成されていると、リハビリ作業にゲーム性が付与されるため、一層楽しみながらリハビリ作業を行うことができるようになる。
【００１２】
この場合、前記指定範囲が、前記模様の一部として形成されていると、さらにゲーム性が高くなると共に、リハビリ作業終了時には蝶ねじが前記模様の一部として描出されるため、より一層リハビリ作業の楽しさが増すことになる。
【発明の効果】
【００１３】
本発明によれば、複数の雌ねじと雄ねじとを螺合させる作業を行うことで、指先によるひねり動作等が生じるため、高いリハビリ効果を得ることができる。また、本発明によれば、基台表面に、例えば、花や幾何学形状等からなる模様が描かれているため、美観が高く、楽しみながらリハビリ作業を行うことができるようになる。
【００１４】
さらに、本発明によれば、雌ねじと雄ねじとを螺合させておくことで、非使用時における部品の脱落等が防止でき、収納性を向上させることができる。
【発明を実施するための最良の形態】
【００１５】
以下、本発明に係るリハビリ器具について好適な実施形態を挙げ、添付の図面を参照して詳細に説明する。
【００１６】
図１は、本発明の第１の実施形態に係るリハビリ器具１０ａの斜視図である。図２は、図１に示すリハビリ器具１０ａの平面図である。
【００１７】
リハビリ器具１０ａは、基台１２と、基台１２の表面１２ａ側に埋設される雌ねじ、例えば、ナット１４ａ〜１４ｃと、前記ナット１４ａ〜１４ｃに螺合する雄ねじ、例えば、蝶ボルト１６ａ〜１６ｃ（蝶ねじ）とから構成され、使用者が指先で蝶ボルト１６ａ〜１６ｃをナット１４ａ〜１４ｃに対して螺回させることで、リハビリ効果が得られるものである。
【００１８】
基台１２は、例えば、円盤状の木材から構成され、その表面１２ａには模様１８の一例として、複数の花が描かれている。また、表面１２ａ側には、図示しない座繰り穴が設けられ、該座繰り穴にはナット１４ａ〜１４ｃが埋設固定されている。
【００１９】
ナット１４ａ〜１４ｃは、夫々複数個設けられている。ナット１４ａ〜１４ｃのねじ径は複数種類からなり、例えば、ナット１４ａ（Ｍ８ナット）＞ナット１４ｂ（Ｍ６ナット）＞ナット１４ｃ（Ｍ４ナット）とされる。同様に、蝶ボルト１６ａ〜１６ｃも夫々複数個設けられており、それらのねじ径は、蝶ボルト１６ａ（Ｍ８ボルト）＞蝶ボルト１６ｂ（Ｍ６ボルト）＞蝶ボルト１６ｃ（Ｍ４ボルト）とされる。なお、蝶ボルト１６ａ〜１６ｂとしては、例えば、プレス製蝶ボルトやプラカラー蝶ボルト等が挙げられる。
【００２０】
すなわち、図１に示すリハビリ器具１０ａでは、ナット１４ａ及び蝶ボルト１６ａの対が３組、ナット１４ｂ及び蝶ボルト１６ｂの対が５組、ナット１４ｃ及び蝶ボルト１６ｃの対が４組備えられている。
【００２１】
図１及び図２から諒解されるように、本第１の実施形態において、ナット１４ａ〜１４ｃは模様１８に重なるよう、例えば、各花の中心に略一致され、埋設固定されている。また、蝶ボルト１６ａ〜１６ｃはナット１４ａ〜１４ｃへと螺合された状態、例えば、所定のトルク（指先の力）で蝶ボルトをナットへ螺回させ、それ以上螺回しなくなった状態とされると、平面視（図２）で、その把持部が模様１８の花びらの一部を形成するように構成されている。
【００２２】
次に、基本的には以上のように構成されるリハビリ器具１０ａの使用例について説明する。
【００２３】
先ず、全ての蝶ボルト１６ａ〜１６ｃをナット１４ａ〜１４ｃから取り外した状態とする。次いで、使用者は、ばらばらになった蝶ボルト１６ａ〜１６ｃのうちの１個、例えば、蝶ボルト１６ａを掴み、それと螺合するナット１４ａに螺合させる。その後、使用者は、このような作業、すなわち、蝶ボルト１６ａ〜１６ｃ及びナット１４ａ〜１４ｃとの適合条件（ねじ径の大きさ）を考慮しつつ、指先により、蝶ボルト１６ａ〜１６ｃをナット１４ａ〜１４ｃに螺合させる作業を繰り返す。
【００２４】
従って、リハビリ器具１０ａでは、上記従来技術のように単に支柱を貫通穴に挿入させるような器具と比べて、前記適合条件の考慮やボルト・ナットの螺合作業が必要となる。すなわち、指先によるひねり動作等が必要となり、さらに、ねじ径の違いよる適合条件を考えながらリハビリ作業を行う必要があるため、該リハビリ作業が指先だけの単純作業となることがなく、手や頭脳等に対する高いリハビリ効果を得ることができる。
【００２５】
また、リハビリ器具１０ａでは、基台１２の表面１２ａに模様１８が描かれており、さらに、上記のように、ナット１４ａ〜１４ｃや蝶ボルト１６ａ〜１６ｃが該模様１８と一致するように構成されている。このため、使用者は、模様１８を楽しみながらリハビリ作業を実施することができる。
【００２６】
さらにまた、リハビリ器具１０ａでは、収納時（非使用時）、全ての蝶ボルト１６ａ〜１６ｃをナット１４ａ〜１４ｃに螺合させておくことにより、該蝶ボルト１６ａ〜１６ｃの脱落（紛失）を防止することができる。この場合、リハビリ器具１０ａでは、表面１２ａに模様１８が描かれ、ナット１４ａ〜１４ｃや蝶ボルト１６ａ〜１６ｃが該模様１８と一致するように構成されているため、その美観がよく、部屋の壁等に展示しておくこともできる。
【００２７】
次に、本発明の第２の実施形態につき、図３を参照して説明する。図３は、この第２の実施形態に係るリハビリ器具１０ｂの平面図である。なお、図３において、図１及び図２に示される参照符号と同一の参照符号は、同一又は同様な構成を示し、このため同一又は同様な機能及び効果を奏するものとして、その詳細な説明を省略して、以下の図面においても同様とする。
【００２８】
リハビリ器具１０ｂにおいて、基台１２の表面１２ａには、模様２０が描かれている。模様２０としては、幾何学模様、例えば、図３の矢印Ａ〜Ｃ方向に沿った帯からなる２つの三角形が描かれている。模様２０の各所には、ナット１４ａが埋設されている。そして、蝶ボルト１６ａの把持部は、ナット１４ａに螺合された状態で、その長手方向が、その位置での模様２０と同一方向（矢印Ａ〜Ｃ方向）を指向するように構成されている。
【００２９】
ところで、雄ねじ（例えば、蝶ボルト）を雌ねじに螺合させた際には、通常、ねじ山の切上がり面の仕上がりに個体差があり、上記のように、蝶ボルト１６ａの把持部の長手方向を、模様２０の方向と一致させることは困難である。
【００３０】
ところが、この第２の実施形態に係るリハビリ器具１０ｂでは、製造時、例えば、蝶ボルト１６ａとナット１４ａとを螺合させた状態のセットを複数組（図３では９組）用意しておく。そして、このように螺合させた状態のセットのナット１４ａを、蝶ボルト１６ａが模様２０と同一方向を指向するように基台１２に埋設させる。これにより、リハビリ器具１０ｂでは、前記セットを構成していた蝶ボルト１６ａとナット１４ａとにより、蝶ボルト１６ａの把持部と模様２０とを同一方向とすることができる。
【００３１】
このようなリハビリ器具１０ｂの使用時においては、先ず、全ての蝶ボルト１６ａをナット１４ａから取り外した状態とする。次いで、使用者は、ばらばらになった蝶ボルト１６ａのうちの１個を掴み、ナット１４ａのいずれかに螺合させる。この際、前記掴まれた蝶ボルト１６ａが、前記セットを構成していたナット１４ａ以外に取り付けられた場合には、蝶ボルト１６ａの把持部の長手方向と模様２０の方向とが不一致となる。つまり、図３に示すような平面視において、蝶ボルト１６ａの把持部が模様２０の帯の外へとはみ出すことになる。このような場合、使用者は、該蝶ボルト１６ａを間違ったナット１４ａから取り外し、再度、他のナット１４ａへと螺合させる作業を繰り返し、全ての蝶ボルト１６ａが模様２０と一致する状態となったところで作業が完了することになる。換言すると、リハビリ器具１０ｂの使用時、模様２０（の帯幅）が、蝶ボルト１６ａの把持部が平面視で収まるべき範囲を指定する指定範囲を成していることになる。この際、前記指定範囲は、模様２０の一部として形成されており、つまり、リハビリ作業終了時には蝶ボルト１６ａが模様２０の一部として描出される。
【００３２】
従って、リハビリ器具１０ｂでは、上記リハビリ器具１０ａに比べて、作業難度やゲーム性が向上しているため、一層楽しみながらリハビリ作業を行うことができ、手や頭脳等への一層高いリハビリ効果が期待できる。
【００３３】
次に、本発明の第３の実施形態につき、図４を参照して説明する。図４は、この第３の実施形態に係るリハビリ器具１０ｃの平面図である。
【００３４】
リハビリ器具１０ｃにおいて、基台１２の表面１２ａには、模様２２が描かれている。この場合の模様２２は人面であり、該模様２２を形成する線上の各所にナット１４ａが埋設されている。そして、平面視で蝶ボルト１６ａの把持部の長手方向が、模様２２を形成する線（の方向）と略一致するように構成されている。すなわち、リハビリ器具１０ｃは、上記第２の実施形態のリハビリ器具１０ｂにおける製造方法と同様、蝶ボルト１６ａとナット１４ａとを螺合させたセットの状態でナット１４ａを基台１２に埋設させて製造されるとよい。
【００３５】
また、ナット１４ａの周囲の表面１２ａには、蝶ボルト１６ａをナット１４ａに螺合させた際に、該蝶ボルト１６ａの把持部が平面視で収まるべき範囲である指定範囲２４が形成されている。この場合、指定範囲２４は、平面視で蝶ボルト１６ａの把持部を多少の余裕を持って囲繞可能に、例えば、長方形とされる。
【００３６】
従って、リハビリ器具１０ｃの使用時においては、先ず、全ての蝶ボルト１６ａをナット１４ａから取り外した状態とする。次いで、使用者は、ばらばらになった蝶ボルト１６ａのうちの１個を掴み、ナット１４ａのいずれかに螺合させる。この際、前記掴まれた蝶ボルト１６ａが、前記セットを構成していたナット１４ａ以外に取り付けられた場合には、蝶ボルト１６ａの把持部の長手方向と模様２０の線の方向とが不一致となる。つまり、図４に示すような平面視において、蝶ボルト１６ａの把持部が指定範囲２４からはみ出すことになる。このような場合、使用者は、その蝶ボルト１６ａを間違ったナット１４ａから取り外し、再度、他のナット１４ａへと螺合させる作業を繰り返し、全ての蝶ボルト１６ａが指定範囲２４内に収まったところで作業が完了することになる。
【００３７】
従って、リハビリ器具１０ｂでは、リハビリ作業の完了時、蝶ボルト１６ａによって模様２２が完成されるため、より一層ゲーム性が高く、さらに達成感があり、このため、より一層楽しみながらリハビリ作業を行うことができる。
【００３８】
なお、本発明は上記実施形態に限らず、本発明の要旨を逸脱することなく、種々の構成を採り得ることは当然可能である。
【００３９】
例えば、上記各実施形態では、ナット１４ａ〜１４ｃが基台１２に埋設されているものとしたが、図５に示すリハビリ器具１０ｄのように、雄ねじ、例えば、ボルト２６ａ〜２６ｃをそのねじ部が基台１２の表面から突設されるように埋設し、雌ねじ、例えば、蝶ナット２８ａ〜２８ｃ（蝶ねじ）を螺合させるように構成してもよい。
【００４０】
また、上記第２及び第３実施形態に係るリハビリ器具１０ｂ、１０ｃにおいても、第１の実施形態に係るリハビリ器具１０ａのように各種ねじ径のものを混在させてもよいことは言うまでもない。
【００４１】
さらに、模様１８、２０、２２は、図１〜５に示すものに限定されることがなく、ナット１４ａ〜１４ｃや蝶ボルト１６ａ〜１６ｃのねじ径も各種型式のものを適用可能である。
【００４２】
さらにまた、上記各実施形態における蝶ボルト１６ａ〜１６ｃ及び蝶ナット２８ａ〜２８ｃは、これに限定されず、他の形状からなるボルトやナットでもよいことは勿論であるが、使用時（リハビリ作業時）、指先で作業を行うことを考慮した場合には、蝶ボルト１６ａ〜１６ｃ及び蝶ナット２８ａ〜２８ｃが好適である。
【００４３】
また、蝶ボルト１６ａ〜１６ｃや蝶ナット２８ａ〜２８ｃ及びナット１４ａ〜１４ｃやボルト２６ａ〜２６ｃに、その周囲の模様と同様な模様（色）を付しておくと、リハビリ器具１０ａ〜１０ｄの美観を一層向上させることができる。
【図面の簡単な説明】
【００４４】
【図１】本発明の第１の実施形態に係るリハビリ器具を示す斜視図である。
【図２】図１に示すリハビリ器具の平面図である。
【図３】本発明の第２の実施形態に係るリハビリ器具を示す平面図である。
【図４】本発明の第３の実施形態に係るリハビリ器具を示す平面図である。
【図５】本発明のリハビリ器具の変形例を示す平面図である。
【符号の説明】
【００４５】
１０ａ〜１０ｄ…リハビリ器具        １２…基台
１２ａ…表面                        １４ａ〜１４ｃ…ナット
１６ａ〜１６ｃ…蝶ボルト            １８、２０、２２…模様
２４…指定範囲                      ２６ａ〜２６ｃ…ボルト
２８ａ〜２８ｃ…蝶ナット
【図１】
2008000423.tif 000003
【図２】
2008000423.tif 000004
【図３】
2008000423.tif 000005
【図４】
2008000423.tif 000006
【図５】
2008000423.tif 000007